(57)【特許請求の範囲】
【請求項１】
電子機器を載置した複数の移動式什器を集合して、それらの電子機器に電源の供給、または情報の交換等を行うようにしたターミナル什器であって、
左右１対の支柱間に、連結杆を架設してフレームを形成し、このフレームの前後面の少なくとも一部を、カバーにより覆うとともに、前記フレームの適所に、移動式什器の電子機器に給電または情報伝達する複数の接続部を設け、さらに、前記フレームの下部に、前記カバーより外方に突出するバンパーを設けたことを特徴とするターミナル什器。
【請求項２】
バンパーを、左右方向を向く棒材により形成し、その棒材の両端を、左右の支柱に固着したブラケットにより支持した請求項１記載のターミナル什器。
【請求項３】
左右１対の支柱間に、上下部連結杆を架設してフレームを形成し、ブラケットを、下部連結杆と一体として形成した請求項２記載のターミナル什器。
【請求項４】
棒材の外周面に緩衝材を巻着した請求項２または３記載のターミナル什器。
【請求項５】
前後１対のバンパーの両端を、フレームより前後方向に延出する左右１対のブラケットの先端部により支持し、前後のバンパーと、左右のブラケットとより囲まれた空間を通線空間とした請求項１〜４のいずれかに記載のターミナル什器。
【請求項６】
フレームとカバーとのいずれか一方に係止体を設け、かつ他方に、前記係止体に係止される被係止体を設けることにより、前記カバーをフレームに上方より懸吊状態に係止しうるようにし、さらに、バンパーを、前記カバーの下縁より下方、かつ表面より外方に平行に突出するようにした請求項１〜５のいずれかに記載のターミナル什器。
【請求項７】
連結杆を、左右の支柱に、上下方向の取付位置変更可能として架設した請求項１〜６のいずれかに記載のターミナル什器。
【請求項８】
カバーを、フレームに、上下方向の取付位置変更可能として架設した請求項１〜７のいずれかに記載のターミナル什器。
【発明の詳細な説明】
【技術分野】
【０００１】
本発明は、主に病院などにおいて、回診用カートなどの移動式什器に載置された電子機器に電源の供給や、データの授受等を行えるようにしたターミナル什器に関する。
【背景技術】
【０００２】
近年、病院においては、患者の管理を電子カルテによって行い、電子カルテを閲覧可能な電子機器であれば、いつでもどこでも患者の情報を取出すことができるようにした電子カルテ化が進んでいる。
【０００３】
このような状況に伴い、看護師が病室を回診する際にも、回診用ノートパソコンなどの携帯用電子機器を携帯する場合が多く、これに対応した回診用カートなどの移動式什器も多数開発されている（例えば特許文献１〜３参照）。
また、電子機器を移動式什器に載置したままの状態で充電可能とする電源供給用の什器も開発されている（例えば特許文献４〜６参照）。
【０００４】
この種の電源供給用什器においては、それに移動式什器を近接配置した上で、電源供給用什器に設けた接続部に電子機器の接続部を接続することによって、充電や情報交換が行え、かつ複数の電子機器の充電や情報交換処理を行えるため、配線処理が錯雑にならないという利点があり、また各移動式什器は、一箇所に整然と集合配置されるため、ナースステーション内などにおけるターミナル什器として、好適に機能する。
【特許文献１】特開２００７−１３０１８３号公報
【特許文献２】特開２００５−０４６４１２号公報
【特許文献３】特開２００５−０３４６０７号公報
【特許文献４】特開２００１−１３５９４９号公報
【特許文献５】特開２００２−１４２８７１号公報
【特許文献６】特開２００７−１３００９５号公報
【発明の開示】
【発明が解決しようとする課題】
【０００５】
上記のようなターミナル什器では、前記の表面をカバーで覆うことによって、内部の錯雑とした配線部分を覆っているが、回診用カートがカバーに当接したとき、そのいずれかが破損したり、大きな衝突音が発生したり、カバーが外れたりするおそれがある。
【０００６】
本発明は、以上の課題を解決するものであり、カートなどの移動式什器が、ターミナル什器に勢いよく当接しても、カバーや移動式什器が傷ついたり、大きな衝突音が発生したりすることがなく、また、内部に配線されるケーブル等の傷付や、不本意な接続部の切り離し等を未然に防止できるようにしたターミナル什器を提供することを目的としている。
【課題を解決するための手段】
【０００７】
本発明によると、上記課題は次のようにして解決される。
(１)電子機器を載置した複数の移動式什器を集合して、それらの電子機器に電源の供給、または情報の交換等を行うようにしたターミナル什器において、左右１対の支柱間に、連結杆を架設してフレームを形成し、このフレームの前後面の少なくとも一部を、カバーにより覆うとともに、前記フレームの適所に、移動式什器の電子機器に給電または情報伝達する複数の接続部を設け、さらに、前記フレームの下部に、前記カバーより外方に突出するバンパーを設ける。
【０００８】
（２）上記（１）項において、バンパーを、左右方向を向く棒材により形成し、その棒材の両端を、左右の支柱に固着したブラケットにより支持する。
【０００９】
（３）上記（２）項において、左右１対の支柱間に、上下部連結杆を架設してフレームを形成し、ブラケットを、下部連結杆と一体として形成する。
【００１０】
(４）上記(２)項または（３）において、棒材の外周面に緩衝材を巻着する。
【００１１】
（５）上記（１）〜（４）項のいずれかにおいて、前後１対のバンパーの両端を、フレームより前後方向に延出する左右１対のブラケットの先端部により支持し、前後のバンパーと、左右のブラケットとより囲まれた空間を通線空間とする。
【００１２】
（６）上記（１）〜（５）項のいずれかにおいて、フレームとカバーとのいずれか一方に係止体を設け、かつ他方に、前記係止体に係止される被係止体を設けることにより、前記カバーをフレームに懸吊状態に係止しうるようにし、さらに、バンパーを、前記カバーの下縁より下方、かつ表面より外方に平行に突出するようにする。
【００１３】
（７）上記（１）〜（６）項のいずれかにおいて、連結杆を、左右の支柱に、上下方向の取付位置変更可能として架設する。
【００１４】
（８）上記（１）〜（７）項のいずれかにおいて、カバーをフレームに、上下方向の取付位置変更可能として架設する。
【発明の効果】
【００１５】
本発明によれば、以下の効果を奏する。
請求項１の発明によれば、移動式什器の先端下部はバンパーに接触するため、ターミナル什器内への侵入が防止され、内部配線に対する干渉を防止するとともに、カバーに対する移動式什器の直接接触がないため、衝突による双方の傷付も防止される。
【００１６】
請求項２の発明によれば、バンパーの構成が簡単である。
【００１７】
請求項３の発明によれば、支柱に特別な加工を施す必要がなく、また、下部連結杆を支柱に取付けるだけで、バンパーも共に支柱に取付けられるので、組付作業が楽になる。
【００１８】
請求項４の発明によれば、緩衝材による緩衝効果により、衝突音の発生を防止でき、静粛性が要求される病院内での使用に好適であるとともに、移動式什器の前下部に対する衝撃力を緩和できる。
【００１９】
請求項５の発明によれば、前後のバンパーと、左右のブラケットとより囲まれた空間を通線空間としてあるので、そこを通る配線類を、外部の移動式什器等による衝突や踏み付けから防護することができる。
【００２０】
請求項６の発明によれば、カバーの取付、取外しを簡単に行うことができるため、内部の配線変更などにも容易に対応できる。また、看護師の足先などが不時にカバーの下縁に接触することもなくなり、カバーが連結杆から脱落することも未然に防止される。
【００２１】
請求項７の発明によれば、受入対象となる移動什器の高さに応じた連結杆の高さ変更を容易にできる。
【００２２】
請求項８の発明によれば、請求項６の発明と同様に受入対象となる移動式什器の高さに応じたカバーの高さ変更も容易にできる。
【発明を実施するための最良の形態】
【００２３】
図１は本発明に係るターミナル什器の分解斜視図、図２は組立完成状態の斜視図である。図１において、ターミナル什器１は、前後方向を向く左右１対の水平脚２の上部中央に立設された１対の下部支柱３、３と、左右の下部支柱３、３間に架設された上部連結杆４、および下部連結杆５と、それらによって形成されたフレームＦ１の前後面に着脱可能に取付けられて、フレームＦ１の前後を覆う１対のカバー６とを備えている。
【００２４】
下部支柱３はアルミニウム合金等の異形押出し成形体からなるもので、全体が円柱状をなしているとともに、図３に拡大して示すように、その円柱の周囲４箇所に、上下方向を向くあり溝状の溝３ａを形成するとともに、中心に平面視矩形状の孔３ｂを開口したものであり、下部支柱３の下端は、水平脚２の上部中央に溶接等により一体的に立設された芯柱７ａ（図１の左側参照）に差込まれ、側面から挿通された１対の取付ねじＢをもって固定され、水平脚２上に一体化されている。
【００２５】
下部支柱３の上部は、キャップ７により閉塞されるとともに、キャップ７の上部には、図２に示すように、キャップ７を通じて孔３ｂに差込まれる左右１対の上部支柱８が立設され、各上部支柱８の上部には、図示しないカルテ用トレイなどの取付用レール９が架設され、これら上部支柱８およびレール９により、フレームＦ１の上部に、必要に応じて取付けられる追加フレームＦ２が形成され、組立完成状態では、レール９の下部に形成された隙間を通じて、前後を互いに見通し可能な衝立状のターミナル什器１が完成する。
【００２６】
上部連結杆４の上方には、これと平行であって、下部支柱３の上端間に両端をねじ止め等により固定される細長矩形状の接続端子部を構成する接続具１０が架設されている。
【００２７】
接続具１０の上面には、複数の接続ポート１０ａが設けられ、また接続具１０の下部には、床側に設けた配線引出し用ポートに接続するケーブル（図示略）などが引回されている。各接続ポート１０ａは、接続具１０に内蔵されたＡＣ／ＤＣアダプタを介して供給される充電用ポートのほか、接続具１０に内蔵された病院内のＬＡＮなどに接続するハブ（いずれも図示略）に設けたＬＡＮポート等が設けられ、図２に示すように、ターミナル什器１の前面に、ノートパソコン１１を搭載したカート１２を位置させ、接続ポート１０ａに、ノートパソコン１１側の電源ケーブルに設けた接続端子、およびＬＡＮケーブルなどに設けた端子（いずれも図示略）などを差込むことにより、パソコン１１が充電されるとともに、ＬＡＮを通じてサーバ側とのデータの送受信がなされる。図では接続ポート１０ａは４箇所設けられており、従って１台のターミナル什器１で４台のパソコン１１の充電および／またはデータ処理を同時に行える。
【００２８】
カバー６は、塗装済の薄形化粧鋼板からなり、その両端部には、各下部支柱３の側面に形成された溝３ａに嵌合される折曲げ部６ａが形成され、接続具１０との間に、所要の隙間を設けて配置される。各カバー６は、その内側における上下左右４箇所に、スポット溶接などにより固定された、被係止体であるだるま孔付きブラケット１３を、各連結杆４，５の前後に突設した左右１対の係止体である係止ピン１４に係止することによって、連結杆４、５に取付けられるようになっている。
【００２９】
図４および図５に拡大して示すように、だるま孔１３ａの下部側の大径部は、係止ピン１４の頭部１４ａより大径であり、また小径部は頭部１４ａより小径となっており、従ってカバー６の取付けにあたっては、係止ピン１４にだるま孔１３ａの大径部を通し、次いでそのまま落し込むことによって小径部がピン１４の外周に挿通され、その状態で抜止めされ、カバー６は各連結杆４，５に懸吊状態に係止される。逆にカバー６を取外す際には、カバー６をやや持上げてだるま孔１３ａの大径部をピン１４の頭部１４ａに一致させ、その状態でカバー６を手前側に引けばよい。
【００３０】
上部連結杆４の下部支柱３への取付構造は、上部連結杆４の両端に溶接により固着したブラケット１５を、取付ねじＢにより固定するようになっている。図４において、ブラケット１５の両側および上部中央には、位置決め用の爪部１５ａ，１５ｂが折曲形成され、両側の爪部１５ａ、１５ａを、支柱３の外周面に当接し、かつ中央の爪部１５ｂを支柱３の溝３ａ内に嵌合することにより、位置決めした後、ブラケット１５の中央の上下部に設けた取付孔１５ｃに取付ねじＢを挿通し、支柱３の溝３ａに嵌合した板ナット（図示略）に設けたねじ孔に螺合し、溝３ａの開口縁部を、板ナットとブラケット１５とによって挾着することによって、ブラケット１５が下部支柱３に固着される。
【００３１】
下部連結杆５の下部支柱３への取付構造も、上記と同様に、下部連結杆５の両端に固着したブラケット１６を、取付ねじＢをもって固着するようになっている。このブラケット１６の下部には、バンパー固定片１７が一体に延設され、このバンパー固定片１７に前後１対のバンパー１８の両端が固着されている。
【００３２】
図５において、ブラケット１６の両側および上部中央には位置決め用の爪部１６ａ，１６ｂが折曲形成され、両側の爪部１６ａ、１６ａを下部支柱３の外周面に当接し、かつ中央の爪部１６ｂを下部支柱３の溝３ａ内に嵌合することにより、位置決めした後、ブラケット１６の中央の上下部に設けた取付孔１６ｃに取付ねじＢを挿通し、下部支柱３の溝３ａに嵌合した板ナット（図示略）に設けたねじ孔に螺合することにより、固着される。
【００３３】
バンパー固定片１７は、ブラケット１６の下端中央より垂下する垂直片１７ａと、垂直片１７ａの下部より、前後方向に伸びる水平片１７ｂとを備え、水平片１７ｂの両端部に設けた取付孔１７ｃを通した、取付ねじＢを、バンパー１８の端部にねじ込むことによって、水平片１７ｂの両端にバンパー１８が固定されている。さらに、水平片１７ｂの下部中央には、下部支柱３の溝３ａに係合される爪部１７ｄが折曲形成されている。
【００３４】
パンパー１８は、下部連結杆５と平行で、その両端に、取付ねじＢを螺合するねじ孔（図示略）が設けられた端板（図示略）を有する円筒状パイプ１９と、このパイプ１９の外周に巻装された表皮付発泡ウレタンなどの緩衝材２０とを備えている。
【００３５】
バンパー１８の取付位置は、カバー６の下縁より下側位置における外側に平行に配置されており、ターミナル什器１の外面にカート１２を突き当てた状態では、カート１２の先端部は、直接カバー６に当接することなく、バンパー１８にその下端が当接することになり、外周に設けた緩衝材２０のクッション効果によって、カート１２が勢いよく当接した時の衝突音や、双方の傷付を防止できる。また、カート１２だけでなく、カバー６への突上げ方向の接触もバンパー１８によって防止されることになり、これによって看護師の足先などが不時にカバー６の下縁に接触することもなくなり、カバー６が連結杆４，５から脱落することも未然に防止される。
【００３６】
なお、図１において、下部連結杆５の上面には、緊急呼出し用の機器（図示略）などを設置するための複数のトレイ２１、２１が配設されている。
【００３７】
図６は、ターミナル什器１の前後両側にカート１２を対向させて配置した場合を示している。この状態では、図７に拡大して示すように、カート１２の前部下端にあって、前方に突出するキャスタ２２のみが、バンパー１８に当接し、カート１２の前部とカバー６との直接接触が防止される。
【００３８】
また、図８は、ターミナル什器１の前面側に、カート１２を位置させ、後面側には、移動式テーブル２３を配置した状態を示しており、この場合においても、テーブル２３の下部に設けたキャスタ付脚２３ａは、バンパー１８に当接し、カバー６に対する直接接触が防止される。
【００３９】
図９において、カート１２は、１台のターミナル什器１の長手方向に対して２台並列に配置可能であり、テーブル２３は、ターミナル什器１の長手方向と平行にして、１台配置される。また、図９においては、テーブル２３には２脚の椅子２４が配置されているとともに、テーブル２３上にもパソコン１１が置かれているので、カート１２側の看護師と、椅子２４に座った人とが、レール９の下部に形成された見通し用の隙間を通じて簡単な打ち合せや、会話、あるいはパソコン１１間のデータなどの授受等ができるようになっている。
【００４０】
さらに、図９において、多数のカート１２またはテーブル２３を配列する場合には、一方の支柱３、８を中間支柱として、これの横方向に複数のターミナル什器１をユニット式に組立てることにより、多数のカート１２、およびテーブル２３に対応できる。
また、図６に示すように、カート１２同士、または図８または図９に示すように、カート１２とテーブル２３の組合せだけでなく、テーブル２３のみをターミナル什器１の前後に対向して配列することもできることは勿論である。
【００４１】
本発明は、上記の実施形態のみに制限されるものではなく、特許請求の範囲を逸脱しない範囲で、変形した態様での実施が可能である。
【００４２】
例えば、上記実施形態においては、各連結杆４，５の下部支柱３に対する取付位置を固定的としたが、カート１２などの移動式什器の高さに応じて、上下移動可能に取付けるようにすることも可能であり、これに対応して、カバー６の高さ寸法も、各種のものを用意しておき、フレームＦ１に対するこのカバー６の上下方向の取付位置も、変更可能とすることもできる。
【図面の簡単な説明】
【００４３】
【図１】本発明のターミナル什器の一実施形態における要部の分解斜視図である。
【図２】同じく、組立て後の斜視図である。
【図３】図１の円Iの拡大図である。
【図４】同じく図１の円IIの拡大図である。
【図５】同じく図１の円IIIの拡大図である。
【図６】ターミナル什器の前後にカートを配置した状態の側面図である。
【図７】図５の円IVの拡大図である。
【図８】ターミナル什器の前部にカートを配置し、後部に移動式テーブルを配置した場合を示す側面図である。
【図９】同じく配列状態を示す斜視図である。
【符号の説明】
【００４４】
Ｆ１  フレーム
Ｆ２  追加フレーム
Ｂ  取付ねじ
１  ターミナル什器
２  水平脚
３  下部支柱(支柱)
３ａ  溝
３ｂ  孔
４  上部連結杆
５  下部連結杆
６  カバー
６ａ  折曲げ部
７ａ  芯柱
７  キャップ
８  上部支柱
９  取付用レール
１０  接続具
１０ａ  接続ポート
１１  ノートパソコン（電子機器）
、１２  カート（移動式什器）
１３  だるま孔付きブラケット（被係止体）
１３ａ  だるま孔
１４  係止ピン（係止体）
１４ａ  頭部
１５，１６  ブラケット
１５ａ，１５ｂ，１６ａ，１６ｂ  爪部
１５ｃ，１６ｃ  取付孔
１７  ダンパー取付片
１７ａ  延設片
１７ｂ  水平片
１７ｃ  取付孔
１７ｄ  爪部
１８  バンパー
１９  パイプ（棒材）
２０  緩衝材
２１  機器取付用トレイ
２２  キャスタ
２３  移動式テーブル（移動式什器）
２３ａ  キャスタ付脚
２４  椅子
【図１】
0004991419.tif 000002
【図２】
0004991419.tif 000003
【図３】
0004991419.tif 000004
【図４】
0004991419.tif 000005
【図５】
0004991419.tif 000006
【図６】
0004991419.tif 000007
【図７】
0004991419.tif 000008
【図８】
0004991419.tif 000009
【図９】
0004991419.tif 000010